(57)【要約】【課題】初心者であっても風景画の写生を簡単に行えるようにする。【解決手段】パレット９１における第１の板部１は、第２の板部２の収容部２５内に収容される収容位置と絵具用凹部２３−ｋ（ｋ＝１〜１９）のある側と反対側に起立した起立位置の間を搖動し得るようにして収容部２５の内縁に枢着されている。また、フレーム９２におけるパレット保持部３２は、パレット９１の第２の板部２における一方向に対向する両縁部２７Ｌ及び２７Ｒをこの両縁部２７Ｌ及び２７Ｒの対向方向と直交する方向を摺動方向として摺動し得るようにして透視部３３の下に保持する。【選択図】図１
2015009550.tif 000002
【特許請求の範囲】
【請求項１】
第１の板部と前記第１の板部が収まる寸法を持った収容部及び一又は複数の絵具用凹部が設けられた第２の板部とを有するパレットであって、前記第１の板部が、前記収容部内に収容される収容位置と前記絵具用凹部のある側と反対側に起立した起立位置との間を搖動し得るようにして前記収容部の内縁に枢着されているパレットと、
透明または半透明な透視部を含む第３の板部と、前記第３の板部における前記透視部を囲む周縁を表面の側から覆う画用紙保持部と、前記第３の板部における前記透視部を囲む周縁を裏面の側から覆うパレット保持部であって、前記パレットの第２の板部における一方向に対向する両縁部をこの両縁部の対向方向と直交する方向を摺動方向として摺動し得るようにして前記透視部の下に保持するパレット保持部とを有するフレームと
を具備することを特徴とする画板。
【請求項２】
前記透視部は、矩形または矩形の四隅を丸めた形をなしており、前記透視部における対向する２対の辺の中点間に基準線が記されていることを特徴とする請求項１に記載の画板。
【請求項３】
前記第１の板部における前記収容部の内縁に枢着される側と反対側の端面は前記収容部の内縁に向かって弧状に凹んでおり、
前記第１の板部における前記弧状に凹んだ端面と交わる２つの端面間の中心線を間に挟んで離間した各位置に２つの指挿入孔が設けられている
ことを特徴とする請求項２に記載の画板。
【請求項４】
前記パレットの第２の板部における前記対向方向の両端部の裏面には突起が設けられており、
前記フレームのパレット保持部における前記対向方向の両端部の表面には、前記透視部の下に保持されている前記パレットを前記摺動方向に摺動させて前記パレットが所定の位置に達すると前記突起に当接して前記パレットの摺動を規制するストッパが設けられている
ことを特徴とする請求項３に記載の画板。
【発明の詳細な説明】
【技術分野】
【０００１】
この発明は、屋外における風景の写生を支援する技術に関する。
【背景技術】
【０００２】
この種の技術に関わる文献として、特許文献１がある。この文献１に開示された固定機構付き画板の固定機構は、画板の裏面に接合される装着部と、この装着部の係止穴に固定された固定リングと、この固定リングをイーゼルの脚に連結するフックとを有する。この技術によると、画板を風で飛散しないようにイーゼルに確実に固定でき、イーゼルへの画板の着脱を容易に行うことができる。
【先行技術文献】
【特許文献】
【０００３】
【特許文献１】特開２０１３−４３３７１号公報
【発明の概要】
【発明が解決しようとする課題】
【０００４】
ところで、野外における風景の写生は、鉛筆などで風景の下絵を線画し、この線画により得られた下絵に絵具で彩色を施す、という手順で行われる。経験の乏しい初心者にとっては、風景の構図を下絵として正確に描画することは難しい作業の一つである。このため、初心者であっても風景画の下絵の描画を簡単に行えるような技術の実現が望まれているが、このような技術は未だ実現されていない。
【０００５】
本発明は、このような課題に鑑みてなされたものであり、初心者であっても風景画の写生を簡単に行えるような技術的手段を提供することを目的とする。
【課題を解決するための手段】
【０００６】
上記課題を解決するため、本発明の好適な態様である画板は、第１の板部と前記第１の板部が収まる寸法を持った収容部及び一又は複数の絵具用凹部が設けられた第２の板部とを有するパレットであって、前記第１の板部が、前記収容部内に収容される収容位置と前記絵具用凹部のある側と反対側に起立した起立位置との間を搖動し得るようにして前記収容部の内縁に枢着されているパレットと、透明または半透明な透視部を含む第３の板部と、前記第３の板部における前記透視部を囲む周縁を表面の側から覆う画用紙保持部と、前記第３の板部における前記透視部を囲む周縁を裏面の側から覆うパレット保持部であって、前記パレットの第２の板部における一方向に対向する両縁部をこの両縁部の対向方向と直交する方向を摺動方向として摺動し得るようにして前記透視部の下に保持するパレット保持部とを有するフレームとを具備する画板を提供する。
【０００７】
本発明では、パレットにおける第１の板部が、第２の板部の収容部内に収容される収容位置と絵具用凹部のある側と反対側に起立した起立位置の間を搖動し得るようにして収容部の内縁に枢着されている。また、フレームにおけるパレット保持部は、パレットの第２の板部における一方向に対向する両縁部をこの両縁部の対向方向と直交する方向を摺動方向として摺動し得るようにして透視部の下に保持する。よって、本発明によると、画板の利用者は、写生におけるアタリの描画や下絵の描画のときは、フレームに保持されているパレットをフレームと分離し、透視部を介して見える景色をそのままなぞることにより、アタリや下絵を正確に描くことができる。また、写生における彩色のときは、画板のパレットの収容部内の第１の板部を起立位置に動かし、利き手の反対側の手で第１の板部を把持し、利き手で絵筆を把持し、絵具用凹部内の絵具を透視部上の画用紙の下絵に塗ることができる。従って、本発明によると、初心者であっても風景画の写生を簡単に行うことができる。
【図面の簡単な説明】
【０００８】
【図１】本発明の一実施形態である画板を示す図である。
【図２】同画板のパレットの正面図である。
【図３】同画板のパレットの裏面図である。
【図４】同画板のフレームの正面図である。
【図５】同画板のフレームの裏面図である。
【図６】同画板のパレットの第１の板部の搖動の様子を示す図である。
【図７】同画板におけるパレットの一部をフレームから引き出した状態を示す図である。
【図８】同画板におけるフレームからパレットを引き出す様子を示す図である。
【図９】同画板の透視部にアタリを描く様子を示す図である。
【図１０】同画板の画用紙保持部に画用紙を差し込む様子を示す図である。
【図１１】同画板の画用紙保持部に保持した画用紙に下絵を描く様子を示す図である。
【図１２】同画板のフレームにパレットを差し込む様子を示す図である。
【図１３】同画板の第１の板部を左手により把持して起立位置まで動かす様子を示す図である。
【図１４】同画板の画用紙保持部に保持された画用紙の下絵に彩色を施す様子を示す図である。
【発明を実施するための形態】
【０００９】
以下、図面を参照しつつ本発明の実施形態について説明する。図１（Ａ）は、本発明の一実施形態である画板９０の正面図である。図１（Ｂ）は、図１（Ａ）を矢印Ｂ方向から見た図である。図１（Ｃ）は、図１（Ａ）を矢印Ｃ方向から見た図である。この画板９０は、風景の写生におけるアタリの描画から絵具の彩色までの一連の作業を支援するものである。図１（Ｄ）は、図１（Ａ）のＤ−Ｄ’線断面図である、図１（Ａ）、図１（Ｂ）、図１（Ｃ）、図１（Ｄ）に示すように、画板９０はパレット９１とフレーム９２とからなる。
【００１０】
図２（Ａ）は、パレット９１の正面図である。図２（Ｂ）は、図２（Ａ）を矢印Ｂ方向から見た図である。図３は、図２（Ａ）を裏側から見た図である。図４（Ａ）は、フレーム９２の正面図である。図４（Ｂ）は、図４（Ａ）を矢印Ｂ方向から見た図である。図５は、図４（Ａ）を裏側から見た図である。図２（Ａ）、図２（Ｂ）、及び図３に示すように、パレット９１は、板部１（第１の板部）及び板部２（第２の板部）を有する。板部２は、縦幅Ｄ１（Ｄ１＝１９７ｍｍ）、横幅Ｗ１（Ｗ１＝３２２ｍｍ）、及び厚みＴ１を有している。板部２における縦幅Ｄ１方向に対向する両端面２０１Ｌ及び２０１Ｒは幅Ｗ１方向に延伸している。板部２における横幅Ｗ１方向に対向する両端面２０２Ｆ及び２０２Ｂのうち端面２０２Ｆは幅Ｄ１方向に延伸しており、端面２０２Ｂは端面２０２Ｆと反対側に湾曲している。
【００１１】
図２（Ａ）に示すように、板部２の表面２０３Ｕにおける端面２０２Ｂ側の一角を占める矩形領域には板部２の裏面２０３Ｄ側に僅かに凹んだ絵具用凹部２３−ｋ（ｋ＝１〜１９）が設けられている。絵具用凹部２３−ｋ（ｋ＝１〜１９）のうち絵具用凹部２３−１〜２３−１２は、真円状をなしている。絵具用凹部２３−１〜２３−１２は、矩形領域における一方の隅から他方の隅に向かって緩やかなＳ字を描くようにして並んでいる。絵具用凹部２３−１３〜２３−１５は、絵具用凹部２３−１〜２３−１２の列よりも端面２０２Ｂ側にある。絵具用凹部２３−１６〜２３−１９は、絵具用凹部２３−１〜２３−１２の列よりも端面２０２Ｆ側にある。
【００１２】
板部２における絵具用凹部２３−ｋ（ｋ＝１〜１９）と端面２０２Ｂとの間には真円孔２４−ｉ（ｉ＝１〜４）がある。真円孔２４−ｉ（ｉ＝１〜４）は表面２０３Ｕ及び裏面２０３Ｄ間を貫通している。真円孔２４−１〜２４−３は直径φ１（φ１＝１３ｍｍ、図示略）を有している。真円孔２４−４は直径φ２（φ２＝８ｍｍ、図示略）を有している。真円孔２４−２は端面２０１Ｌ及び２０１Ｒ間の中心線Ｘ上にある。真円孔２４−１及び２４−３は、真円孔２４−２から端面２０１Ｌ側及び端面２０１Ｒ側に同じ距離だけ離れた各位置にある。真円孔２４−４は、真円孔２４−３から端面２０１Ｌ側に離れた位置にある。
【００１３】
板部２における絵具用凹部２３−ｋ（ｋ＝１〜１９）と端面２０２Ｆとの間の矩形状の部分は収容部２５として刳り貫かれている。収容部２５の内縁における横幅Ｗ１方向に向かい合う内面２５２Ｆ及び２５２Ｂのうち端面２０２Ｆ側の内面２５２Ｂと収容部２５の内縁における縦幅Ｄ１方向に対向する内面２５１Ｌ及び２５１Ｒの各交差部分は四半円弧状に丸まっている。収容部２５の内面２５２Ｆにおける表面１０３Ｕよりも距離Ｔ２（Ｔ２＝Ｔ１／２、図示略）だけ裏面１０３Ｄの側には凸部２６がある（図３）。この凸部２６は、収容部２５よりも十分に小さな縦幅Ｄ３、横幅Ｗ３、及び厚みＴ２の寸法を持った直方体状をなしている。
【００１４】
凸部２６における縦幅Ｄ１方向の両端面２６１Ｌ及び２６１Ｒのうち一方の端面２６１Ｌは収容部２５の内面２５１Ｌと平行に向き合っている。他方の端面２６１Ｒは収容部２５の内面２５１Ｒと平行に向き合っている。凸部２６には、２つの端面２６１Ｌ及び２６１Ｒを開口とする軸孔（符号略）が設けられている。凸部２６の軸孔は縦幅Ｄ３方向に延伸している。また、収容部２５の内面２６１Ｌ及び２６１Ｒにおける凸部２６の軸孔と対峙する位置には内面２６１Ｌ及び２６１Ｒを開口とする軸孔（符号略）が設けられている。
【００１５】
板部２における端面２０１Ｌの僅かに内側の部分は板部２よりも幅薄な縁部２７Ｌとなっている。板部２における端面２０１Ｒの僅かに内側の部分は板部２よりも幅薄な縁部２７Ｒとなっている。板部２の表面２０３Ｕと縁部２７Ｌ及び２７Ｒの表面は面一になっている。板部２の裏面２０３Ｄと縁部２７Ｌ及び２７Ｒの裏面７１Ｌ（図１（Ｄ））及び７１Ｒとの境界には段差がある。縁部２７Ｌ及び２７Ｒの裏面７１Ｌ及び７１Ｒにおける凸部２６の縦幅Ｄ３方向の両側の各位置には突起２８Ｌ及び２８Ｒが設けられている。
【００１６】
突起２８Ｌの底面７３Ｌ（縁部２７Ｌの裏面７１Ｌと一体化されている面）及び傾斜面７４ＬはＬ字状をなしている。突起２８Ｌの底面７３Ｌ及び傾斜面７４Ｌは端面２０２Ｆ側の辺において鋭角に交差している。突起２８Ｌの厚み（底面７３Ｌと傾斜面７４Ｌとの間の幅）は端面２０２Ｆ側の端辺から離れるに従って厚くなっている。突起２８Ｌの厚みは後端部（板部２の端面２０２Ｂ側の端部）において最大になっている。突起２８Ｌの最大厚の部分における底面７３Ｌと傾斜面７４Ｌとの間に介在する端面７５Ｌは縁部２７Ｌの裏面７１Ｌと直交している。
【００１７】
突起２８Ｒの底面７３Ｒ（縁部２７Ｒの裏面７１Ｒと一体化されている面）及び傾斜面７４ＲはＬ字状をなしている。突起２８Ｒの底面７３Ｒ及び傾斜面７４Ｒは２０２Ｆ側の辺において鋭角に交差している。突起２８Ｒの厚み（底面７３Ｒと傾斜面７４Ｒとの間の幅）は端面２０２Ｆ側の端辺から離れるに従って厚くなっている。突起２８Ｒの厚みは後端部（板部２の端面２０２Ｂ側の端部）において最大になっている。突起２８Ｒの最大厚の部分における底面７３Ｒと傾斜面７４Ｒとの間に介在する端面７５Ｒは縁部２７Ｒの裏面７１Ｒと直交している。
【００１８】
板部１は、収容部２５の内縁における内面２５１Ｌ及び２５１Ｒ間の距離よりも僅かに小さな縦幅Ｄ５（Ｄ５＝１７０ｍｍ）と、収容部２５の内縁における内面２５２Ｆ及び２５２Ｂ間の距離よりも僅かに小さな横幅Ｗ５（Ｗ５＝９０ｍｍ）と、収容部２５の厚みよりも僅かに小さな厚みＴ５とを有している。板部１における縦幅Ｄ５方向に対向する両端面１０１Ｌ及び１０１Ｒは横幅Ｗ５方向に延伸している。
【００１９】
板部１における横幅Ｗ５方向に対向する両端面１０２Ｆ及び１０２Ｂのうち一方の端面１０２Ｂは縦幅Ｄ５方向に延伸している。板部１における他方の端面１０２Ｆは端面１０２Ｂの側に弧状に凹んでいる。また、板部１の表面１０３Ｕにおける弧状の凹みの底にあたる部分は指掛け部２６として裏面１０３Ｄ側に僅かに窪んでいる。指掛け部２６の窪みの深さは弧状の底から離れるに従って浅くなっている。
【００２０】
板部１における端面１０１Ｌ及び１０１Ｒ間の中心線Ｘを間に挟んで縦幅Ｄ５方向に同じ距離だけ離間した各位置には指挿入孔２７Ｌ及び２７Ｒが穿設されている。指挿入孔２７Ｌ及び２７Ｒは楕円状をなしている。板部１の端面１０２Ｂにおける表面１０３Ｕよりも距離Ｔ２だけ裏面１０３Ｄ側には端面１０２Ｆ側に凹んだ凹部２９（図３）がある。
【００２１】
凹部２９は、縦幅Ｄ３、横幅Ｗ３、及び厚みＴ２の寸法（すなわち、凸部２６と同じ寸法）を持った直方体状をなしている。板部１における凹部２９を挟んだ幅Ｄ５方向の両側の部分にはこの部分を幅Ｄ５方向に貫く軸孔（符号略）が設けられている。板部１の裏面１０３Ｄにおける中心線Ｘ上には三脚固定穴２８がある。三脚固定穴２８は真円状をなしている。三脚固定穴２８は裏面１０３Ｄから表面１０３Ｕの側に向かって僅かに凹んでいる。
【００２２】
板部１は、当該板部１が収容部２５内に完全に収容される位置（以下、収容位置）と絵具用凹部２３−ｋ（ｋ＝１〜１９）のある側と反対側に向かって起立した位置（以下、起立位置）との間を搖動し得るようにして収容部２５の内縁に枢着されている。より詳細に説明すると、板部１の凹部２９には、板部２の凸部２６が嵌め込まれている。図６に示すように、板部１の凹部２９の両側の部分の孔と板部２の凸部２６の孔には軸９９Ｌ及び９９Ｒが通されている。このため、図６に示すように、板部１は、軸９９Ｌ及び９９Ｒを搖動軸として搖動する。
【００２３】
図６に示すように、収容位置における板部１の表面１０３Ｕ及び裏面１０３Ｄは板部２の表面２０３Ｕ及び裏面２０３Ｄと平行になっている。また、収容位置において板部１の端面１０２Ｂは収容部２５の内面２５２Ｂに当節する。この当節により、収容位置を超えた搖動が規制される。また、起立位置における板部１の表面１０３Ｕ及び裏面１０３Ｄは板部２の表面２０３Ｕ及び裏面２０３Ｄと直交している。起立位置において板部１の裏面１０３Ｄは収容部２５の内面２５２Ｂに当節する。この当節により、起立位置を超えた搖動が規制される。
【００２４】
図４（Ａ）、図４（Ｂ）、及び図５に示すように、フレーム９２は、板部３と、画用紙保持部３１と、パレット保持部３２とを有する。板部３は、板部２よりも僅かに大きな縦幅Ｄ７（Ｗ７＝２２５ｍｍ）と、板部２と同じ横幅Ｗ１と、板部２よりも僅かに大きな厚みＴ７とを有している。板部３における縦幅Ｄ７方向に対向する両端面３０１Ｌ及び３０１Ｒは横幅Ｗ１方向に延伸している。板部３における横幅Ｗ１方向に対向する両端面３０２Ｆ及び３０２Ｂのうち一方の端面３０２Ｆは縦幅Ｄ７方向に延伸している。板部３における他方の端面３０２Ｂは板部２の端面２０２Ｂと同様の丸みを持って端面３０２Ｆと反対側に湾曲している。板部３の中央を占める部分は透明な透視部３３となっている。透視部３３は矩形の四隅を丸めた形を成している。透視部３３における縦幅Ｄ７方向と横幅Ｗ１方向に対向する２辺の中点間には基準線５１Ｘ及び５１Ｙが記されている。板部３における透視部３３を囲む周縁部３４は黒色に着色されている。
【００２５】
画用紙保持部３１は、板部３の周縁部３４における表面３０３Ｕ側の一部を覆うようにして板部３と一体化されている。画用紙保持部３１は、板部３の周縁部３４における端面３０２Ｂ側を除く３方向から透視部３３を囲む部分と同じ寸法をもったコの字状をなしている。画用紙保持部３１の裏面における周縁は均一な厚みを持って凸んでいる。画用紙保持部３１の周縁の凸部は板部２の表面３０３Ｕ（図４）における端面３０１Ｌ、３０２Ｆ、３０１Ｒの僅かに内側に接合されている。画用紙保持部３１と板部２の表面３０３Ｕとの間には画用紙１枚分程度の厚みの隙間が形成されている。
【００２６】
図４（Ｂ）及び図５に示すように、パレット保持部３２は、板部３の周縁部における裏面３０３Ｄ側の一部を覆うようにして板部３と一体化されている。パレット保持部３２は、板部３の周縁部における端面３０２Ｂ側を除く３方向から透視部３３を囲む部分と同じ寸法をもったコの字状をなしている。パレット保持部３２の厚さはパレット９１のそれと同じである。パレット保持部３２における透視部３３の真下には、パレット保持部３２におけるコの字の内側に臨む内面に囲まれた空間がある。
【００２７】
パレット保持部３２におけるコの字の内側に臨む３面のうち縦幅Ｄ７方向に対向する２面とパレット保持部３２の表面の各交差部分はガイド部３７Ｌ及び３７Ｒとして凹んでいる。ガイド部３７Ｌ及び３７Ｒの縦幅Ｄ７方向の凹み幅は板部２の縁部２７Ｌ及び２７Ｒの縦幅Ｄ１方向の寸法と同じである。ガイド部３７Ｌ及び３７Ｒの厚みＴ７方向の凹み幅は板部２の縁部２７Ｌ及び２７Ｒの厚みと同じである。ガイド部３７Ｌ及び３７Ｒの表面７２Ｌ（図１（Ｄ））及び７２Ｒは板部３の裏面３０３Ｄと隙間を挟んで対向している。ガイド部３７Ｌ及び３７Ｒの表面７２Ｌ及び７２Ｒの先端部にはストッパ３８Ｌ及び３８Ｒが設けられている。
【００２８】
図１（Ａ）及び図１（Ｄ）に示すように、ストッパ３８Ｌの底面７５Ｌ（ガイド部３７Ｌの表面７２Ｌと一体化されている面）及び傾斜面７７Ｌは矩形状をなしている。ストッパ３８Ｌの底面７５Ｌ及び傾斜面７７Ｌは端面３０２Ｂ側の辺において鋭角に交差している。ストッパ３８Ｌの厚み（底面７５Ｌと傾斜面７７Ｌとの間の幅）はガイド部３７Ｌの先端部（端面３０２側の端部）から離れるに従って厚くなっている。ストッパ３８Ｌの厚みは先端部と逆側の端部において最大になっている。ストッパ３８Ｌの最大厚の部分における底面７５Ｌと傾斜面７７Ｌとの間に介在する端面７６Ｌはガイド部３７Ｌの表面７２Ｌと直交している。
【００２９】
ストッパ３８Ｒの底面７５Ｒ（ガイド部３７Ｒの表面７２Ｒと一体化されている面）及び傾斜面７７Ｒは矩形状をなしている。ストッパ３８Ｒの底面７５Ｒ及び傾斜面７７Ｒは端面３０２Ｂ側の辺において鋭角に交差している。ストッパ３８Ｒの厚み（底面７５Ｒと傾斜面７７Ｒとの間の幅）はガイド部３７Ｒの先端部（端面３０２Ｂ側の端部）から離れるに従って厚くなっている。ストッパ３８Ｒの厚みは先端部と逆側の端部において最大になっている。ストッパ３８Ｒの最大厚の部分における底面７５Ｒと傾斜面７７Ｒとの間に介在する端面７６Ｒはガイド部３７Ｒの表面７２Ｒと直交している。
【００３０】
パレット保持部３２は、パレット９１の板部２における縦幅Ｄ１方向に対向する両縁部２７Ｌ及び２７Ｒを、この両縁部２７Ｌ及び２７Ｒの対向方向（縦幅Ｄ１方向）と直交する方向（横幅Ｗ１方向）に摺動し得るようにして透視部３３の下に保持する。より詳細に説明すると、図１に示すように、フレーム９２における透視部３３の下にパレット９１を保持した状態では、フレーム９２のパレット保持部３２におけるガイド部３７Ｌ及び３７Ｒにパレット９１の縁部２７Ｌ及び２７Ｒの全部分が嵌っている。また、この状態では、フレーム９２の端面３０２Ｂとその中のパレット９１の端面２０２Ｂが略面一になり、両者が全体として一枚板状になっている。
【００３１】
この状態の画板９０のパレット９１を端面２０２Ｂ側に引くと、パレット９１はガイド部３７Ｌ及び３７Ｒに案内されて引かれた側に摺動する。図７に示すように、パレット９１の絵具用凹部２３−ｋ（ｋ＝１〜１９）がパレット保持部３２の外に露出する位置（以下、彩色位置）に達すると、パレット９１の縁部２７Ｌ及び２７Ｒの突起２８Ｌ及び２８Ｒの端面７５Ｌ及び７５Ｒがフレーム９２のストッパ３８Ｌ及び３８Ｒの端面７６Ｌ及び７６Ｒと当節してパレット９１の摺動が規制される。ここで、フレーム９２のストッパ３８Ｌ及び３８Ｒはガイド部３７Ｌ及び３７Ｒの先端部にある。このため、彩色位置におけるパレット９１の端面２０２Ｂ側の部分を上方に僅かに傾けて端面２０２Ｂ側に引くと、パレット９１の突起２８Ｌ及び２８Ｒは上方に持ち上がってストッパ３８Ｌ及び３８Ｒを乗り越える。パレット９１を更に引くと、パレット９１の縁部２７Ｌ及び２７Ｒがフレーム９２のガイド部３７Ｌ及び３７Ｒから外れて両者が完全に分離される。パレット９１をフレーム９２にはめ込む際はこれと逆の操作を行う。
【００３２】
以上が、本実施形態における画板９０の構成の詳細である。次に、この画板９０を用いた風景の写生の手順を説明する。図８乃至図１４は、画板９０の利用者が右利きである場合における写生の一連の作業を示す図である。画板９０を用いた写生では、まず、図８に示すように、フレーム９２を左手で持ち、パレット９１の真円孔２４−ｉに右手の指をかけて矢印方向に引き、フレーム９２とパレット９１を分離する。
【００３３】
次に、フレーム９２をその表面３０３Ｕを自身に向けて左手で持ち、フレーム９２の透視部３３内に所望の景色を収める。次に、図９に示すように、透視部３３内の景色を単眼で見ながら透視部３３内の景色の輪郭をホワイトマーカー８１でなぞり、透視部３３上に大まかなアタリを描く。
【００３４】
次に、図１０に示すように、フレーム９２における板部３と画用紙保持部３１との間の隙間に画用紙８２を差し込み、板部３の透視部３３上に画用紙８２を重ねる。次に、図１１に示すように、画用紙８２を差し込んだ状態のフレーム９２を光源に向け、これにより画用紙８２に透けて見えるアタリを筆記具８３（鉛筆、ボールペン、筆など）でなぞり、スケッチの下絵を描く。
【００３５】
次に、図１２に示すように、フレーム９２のガイド部３７Ｌ及び３７Ｒにパレット９１の縁部２７Ｌ及び２７Ｒを嵌め込んで矢印方向に押し込むことにより両者を一体化し、フレーム９２内におけるパレット９１の位置を彩色位置にする。
【００３６】
次に、図１３に示すように、一体化した画板９０におけるパレット９１の収容部２５内の板部１を起立位置まで引き出し、板部１の指挿入孔２７Ｌ及び２７Ｒに左手親指及左手人差指を入れるとともに端辺に左手中指を沿えるようにして画板９０を把持し、パレット９１の真円孔２４−ｉ（ｉ＝１〜４）に彩色用水筆や水ボトルを掛ける。
【００３７】
次に、図１４に示すように、画板９０の板部１を把持した左手を傾けて画板９０を略水平にし、画板９０のフレーム９２をその引き出し方向と逆側の端部を左手の肘の関節の内側の部分で押さえるようにして二の腕（左手の手首と肘の間の部分）上に抱え、この状態のまま真円孔２４−ｉ（ｉ＝１〜４）内の彩色用水筆や水ボトルの水、絵具用凹部２３−ｋ（ｋ＝１〜１９）内の絵具を用いて透視部３３上の画用紙８２の下絵を彩色する。
【００３８】
本実施形態によると、次の効果が得られる。第１に、本実施形態では、パレット９１における板部１が、板部２の収容部２５内に収容される収容位置と絵具用凹部２３−ｋ（ｋ＝１〜１９）のある側と反対側に起立した起立位置の間を搖動し得るようにして収容部２５の内縁に枢着されている。また、フレーム９２におけるパレット保持部３２は、パレット９１の板部２における一方向（幅Ｄ１方向）に対向する両縁部２７Ｌ及び２７Ｒをこの両縁部２７Ｌ及び２７Ｒの対向方向と直交する方向（幅Ｗ１方向）を摺動方向として摺動し得るようにして透視部３３の下に保持する。よって、本実施形態によると、画板９０の利用者は、写生におけるアタリの描画や下絵の描画のときは、フレーム９２に保持されているパレット９１をフレーム９２と分離し、透視部３３を介して見える景色をそのままなぞることによりアタリや下絵を正確に描くことができる。また、写生における彩色のときは、画板９０のパレット９１の収容部２５内の板部１を起立位置に動かし、左手（左利きの場合は右手）で板部１を把持し、右手（左利きの場合は左手）で絵筆を把持し、絵具用凹部２３−ｋ（ｋ＝１〜１９）内の絵具を透視部３３上の画用紙８２の下絵に塗ることができる。従って、本実施形態によると、初心者であっても風景画の写生を簡単に行うことができる。
【００３９】
第２に、本実施形態では、フレーム９２の透視部３３は、矩形の四隅を丸めた形状をなしており、透視部３３における対向する２辺の中点間には基準線５１Ｘ及び５１Ｙが記されている。よって、本実施形態によると、アタリを描くときに、透視部３３内の風景をなす物や人の垂直や水平方向の位置関係を把握し易くなる。従って、本実施形態によると、アタリをより正確に描画することができる。
【００４０】
第３に、本実施形態では、板部１における収容部２５の内縁に枢着されている側と反対側の端面１０２Ｆは収容部２５の内縁に枢着されている側に向かって弧状に凹んでおり、板部１における弧状に凹んだ端面１０２Ｆと交わる２つの端面１０１Ｌ及び１０１Ｒ間の中心線Ｘを間に挟んで離間した各位置に２つの指挿入孔２７Ｌ及び２７Ｒが設けられている。よって、本実施形態では、画板９０の板部１を起立位置にし、板部１の指挿入孔２７Ｌに左手親指（左利きの場合は右人差指）を入れるとともに指挿入孔２７Ｒに左手人差指（左利きの場合は右手親指）を入れ、端面１０２Ｆに左手中指（左利きの場合は右手中指）を沿えて板部１を把持し、画板９０のフレーム９２をその引き出し方向と逆側の端部を左手の肘の関節の内側の部分で押さえるようにして二の腕（肘と手首の間の部分）上に抱えることにより、画板９０を左手（左利きの場合は右手）一本で楽に持ち続けることができる。従って、本実施形態によると、右手（左利きの場合は左手）による彩色を楽に行うことができる。
【００４１】
第４に、本実施形態では、パレット９１の板部２における縦幅Ｄ１方向の両端部の裏面７１Ｌ及び７１Ｒに突起２８Ｌ及び２８Ｒが設けられている。また、フレーム９２のパレット保持部３２における縦幅Ｄ１方向の両端部の表面７２Ｌ及び７２Ｒにストッパ３８Ｌ及び３８Ｒが設けられている。そして、このストッパ３８Ｌ及び３８Ｒは、フレーム９２の透視部３３の下に保持されているパレット９１を横幅Ｗ１方向（摺動方向）に摺動させてパレット９１が彩色位置に達すると、突起２８Ｌ及び２８Ｒに当節してパレット９１の摺動を規制するようになっている。よって、本実施形態では、パレット９１の彩色位置への位置合わせを簡単に行うことができる。また、彩色の最中に画板９０が傾いてフレーム９２がパレット９１から外れて落下してしまう、という事態を発生し難くすることができる。
【００４２】
第５に、本実施形態では、パレット９１及びフレーム９２の両方が中心線Ｘを対称軸とする鏡対称をなしている。よって。本実施形態によると、右利きの者と左利きの者の如何に関わらず、風景画の写生を簡単に行うことができる。
【００４３】
以上、本発明の一実施形態について説明したが、かかる実施形態に以下の変形を加えてもよい。
（１）上記実施形態では、透視部３３は矩形の４隅を丸めた形を有していた。しかし、透視部３３を矩形状にしてもよい。
（２）上記実施形態では、板部２における絵具用凹部２３−ｋ（ｋ＝１〜１９）の個数は１２個であった。しかし、絵具用凹部２３−ｋ（ｋ＝１〜１９）の個数を１１個より少なくしてもよいし、１３個以上にしてもよい。
【符号の説明】
【００４４】
９０…画板、９１…パレット、９２…フレーム、１、２、３…板部、２３…絵具用凹部、２４…真円孔、２５…収容部、２７…指挿入孔、２８…突起、３３…透視部、３４…周縁部。
【図１】
2015009550.tif 000003
【図２】
2015009550.tif 000004
【図３】
2015009550.tif 000005
【図４】
2015009550.tif 000006
【図５】
2015009550.tif 000007
【図６】
2015009550.tif 000008
【図７】
2015009550.tif 000009
【図８】
2015009550.tif 000010
【図９】
2015009550.tif 000011
【図１０】
2015009550.tif 000012
【図１１】
2015009550.tif 000013
【図１２】
2015009550.tif 000014
【図１３】
2015009550.tif 000015
【図１４】
2015009550.tif 000016